(57)【要約】【課題】  単色転写モード下における用紙の転写不良を、特に新たな転写不良解消用の部材の採用なくしてソフト的な対応で確実に防止することができるようにする。【解決手段】  レジストローラ対１５４の直下流側に、転写搬送ベルト２０に用紙Ｐを静電吸着するためのの電荷を付与する電荷付与手段５０が設けられ、この電荷付与手段５０は、制御装置６０の制御によってレジストローラ対１５４から転写搬送ベルト２０へ排紙された用紙Ｐの先端側と後端側とに電荷を付与して下流側電荷域Ｐ１および上流側電荷域Ｐ２を形成させるとともに、用紙Ｐの搬送方向の略中央位置に電荷が付与されない非電荷域Ｐ３を形成させるようにしている。【選択図】      図７
2005338438.tif 000002
【特許請求の範囲】
【請求項１】
トナーの色が異なる複数の感光体ドラムが用紙を搬送する転写搬送ベルトの搬送方向に沿って並設されてなり、全ての感光体ドラムの周面に形成されたトナー像を、前記転写搬送ベルトの上流側に設けられたレジストローラを介して当該転写搬送ベルトへ給紙された用紙に転写する全色転写モードと、最下流側の感光体ドラムの周面に形成されたトナー像のみを前記用紙に転写する単色転写モードとに切換可能に構成され、かつ、前記転写搬送ベルトを、当該転写搬送ベルトが全ての感光体ドラムの周面に当接する全色当接位置と、当該転写搬送ベルトが最下流側の感光体ドラムのみに当接する単色当接位置との間で位置変更させるベルト位置変更手段が設けられてなる画像形成装置において、
前記レジストローラの直下流側に、前記転写搬送ベルトに用紙を静電吸着するためのの電荷を付与する電荷付与手段が設けられ、
この電荷付与手段は、前記レジストローラから転写搬送ベルトへ排紙された用紙の先端側と後端側とに電荷を付与し、用紙の搬送方向の略中央位置に電荷が付与されない非電荷域を形成させるように制御されるものであることを特徴とする画像形成装置。
【請求項２】
前記電荷付与手段は、前記転写搬送ベルトが張設されるベルト張設ローラの最上流側のものを備えて構成されていることを特徴とする請求項１記載の画像形成装置。
【請求項３】
前記ベルト位置変更手段は、前記転写搬送ベルトを最下流側の感光体ドラムの周面に向けて押圧する下流側ローラ部材と、前記転写搬送ベルトを介して最下流側の感光体ドラムを除く残りの感光体ドラムの周面と対向する上流側ローラ部材とを備え、前記上流側ローラ部材を、前記転写搬送ベルトを前記感光体ドラムの周面に向けて押圧する押圧姿勢と、この押圧を解除する解除姿勢との間で姿勢変更させる姿勢変更手段が設けられていることを特徴とする請求項１または２記載の画像形成装置。
【請求項４】
前記下流側ローラ部材は、用紙搬送方向と直交した用紙幅方向に延びる下流側ローラ軸回りに回動自在に軸支された下流側ローラ本体と、この下流側ローラ本体を前記下流側ローラ軸を介して支持する下流側ローラ支持枠体と、この下流側ローラ支持枠体を前記転写搬送ベルトへ向けて押圧する下流側付勢手段とを備えて構成され、
前記上流側ローラ部材は、用紙搬送方向と直交した用紙幅方向に延びる上流側ローラ軸回りに回動自在に軸支された上流側ローラ本体と、この上流側ローラ本体を前記上流側ローラ軸を介して支持する上流側ローラ支持枠体と、この上流側ローラ支持枠体を前記転写搬送ベルトへ向けて押圧する上流側付勢手段とを備えて構成され、
前記上流側ローラ支持枠体は、用紙搬送方向と直交した用紙幅方向に延びる枠体支持軸回りに回動自在に軸支され、
前記姿勢変更手段は、前記上流側ローラ支持枠体が前記押圧姿勢と前記解除姿勢との間で姿勢変更するように前記上流側ローラ支持枠体を上流側ローラ軸回りに正逆回動させるソレノイド部材を備えて構成されていることを特徴とする請求項３記載の画像形成装置。
【発明の詳細な説明】
【技術分野】
【０００１】
本発明は、複写機やファクシミリ装置、各種のプリンタ等の画像形成装置に関するものであり、特に、色毎に複数設けられた感光体ドラムの全てを用いて用紙に転写処理を施す全色転写モードと、複数の感光体ドラムの内の最下流側の感光体ドラムによって用紙に単色の転写処理を施す単色転写モードとの間で切換が可能に構成されたタンデム式の画像形成装置に関するものである。
【背景技術】
【０００２】
従来、特許文献１に記載されたような画像形成装置が知られている。この画像形成装置は、複数の色（シアン、マゼンタ、イエローおよびブラック）に対応してそれぞれ設けられた複数の感光体ドラムの全てを用いて用紙に転写処理を施す全色転写モード（カラー印刷モード）と、複数の感光体ドラムの内の最下流側の感光体ドラムによって用紙に単色の転写処理を施す単色転写モード（黒色印刷モード）との間でモードの切換が可能に構成されている。
【０００３】
前記モードの切換は、用紙搬送路に沿って水平方向に向けて並設された複数の感光体ドラムの下部で当該感光体ドラムの各周面と対向配置された転写搬送ベルトを、最下流側の感光体ドラムの直上流側で水平姿勢（カラー印刷モード）と傾斜姿勢（黒色印刷モード）との間で姿勢変更させることによって行われるようになっている。すなわち、転写搬送ベルトが水平姿勢に姿勢設定された状態では、転写搬送ベルトが全ての感光体ドラムの周面に当接した状態になるため、この状態で用紙が転写搬送ベルトによって搬送されると、全ての感光体ドラムのトナー画像が用紙に転写され、これによって用紙にカラー印刷が施されるのに対し、転写搬送ベルトが傾斜姿勢に設定された状態では、最下流側の黒色の感光体ドラムのみが転写搬送ベルトと当接した状態になるため、この状態で用紙が転写搬送ベルトによって搬送されると、最下流側の感光体ドラムの黒色のトナー画像のみが用紙に転写され、これによって用紙に黒色印刷が施されることになる。
【０００４】
また、転写搬送ベルトの上流端には、当該転写搬送ベルトが掛け回されているベルト支持ローラと対向配置され、かつ、ベルト支持ローラとで転写乾燥ベルトを挟持した帯電ローラが配設され、転写搬送ベルトの直上流位置に設けられたレジストローラ対から給紙された用紙は、この帯電ローラによる帯電で転写搬送ベルトに静電吸着され、転写搬送ベルトによって確実に搬送されるようになっている。なお、帯電ローラの詳細については、特許文献２に記載のものが知られている。因みに、特許文献２に記載の画像形成装置においても、上流側の複数の感光体ドラムと対向した大掛かりな揺動アームを揺動させることにより、全色転写モードと単色転写モードとの間で転写搬送ベルトに姿勢変更を行わせるようになされている。
【特許文献１】特開平１１−２４９３７１号公報
【特許文献２】特開平９−２２２８０１号公報
【発明の開示】
【発明が解決しようとする課題】
【０００５】
ところで、上記のような特許文献１に記載の画像形成装置にあっては、転写搬送ベルトが傾斜姿勢（すなわち単色転写モード）に姿勢設定された状態でレジストローラ対にニップされつつ転写搬送ベルトに供給された用紙は、例えば用紙長が長尺のＡ３サイズの用紙が転写搬送ベルトに給紙される場合など、レジストローラ対によってニップされたままで最下流側の感光体ドラムに到達し、この感光体ドラムと転写搬送ベルトとによって挟持された状態で転写処理が開始されるのであるが、ある程度の転写処理が進行した時点でレジストローラ対によるニップから外れることになる。
【０００６】
そして、用紙の上流側が未だ感光体ドラムと転写搬送ベルトとに挟持されつつ進行しているにも拘らず、用紙の下流端に対するレジストローラによるニップが解消されると、用紙は、緊張状態から突然開放されるため、この時点の搬送状態が不安定になる。具体的には今までレジストローラ対の回転による用紙搬送が支配的であったのが、急に転写搬送ベルトの周回が支配的になって搬送されるようになり、両者の速度差によってレジストローラが支配的であったときと、転写搬送ベルトが紙幣的になったときとで用紙の搬送状態が微妙に変化する。
【０００７】
そして、用紙の後端がレジストローラによるニップから離れたときのショックで用紙の搬送姿勢に異常をきたしたような場合（例えば、用紙の上流側が斜めになって転写搬送ローラに移されたような場合）、当該用紙は、その全面が転写搬送ローラに静電吸着されているため、転写処理時に最下流側の感光体ドラムと転写搬送ベルトとに押圧挟持されても異常姿勢が修正されることはなく、これによって用紙に対する感光体ドラムのトナー画像の転写に異常をきたし、用紙に対する正常な転写処理が施し得なくなるという問題点が発生する。
【０００８】
本発明は、かかる状況に鑑みなされたものであって、単色転写モード下における用紙の転写不良を、特に新たな転写不良解消用の部材の採用なくしてソフト的な対応で確実に防止することができる画像形成装置を提供することを目的としている。
【課題を解決するための手段】
【０００９】
請求項１記載の発明は、トナーの色が異なる複数の感光体ドラムが用紙を搬送する転写搬送ベルトの搬送方向に沿って並設されてなり、全ての感光体ドラムの周面に形成されたトナー像を、前記転写搬送ベルトの上流側に設けられたレジストローラを介して当該転写搬送ベルトへ給紙された用紙に転写する全色転写モードと、最下流側の感光体ドラムの周面に形成されたトナー像のみを前記用紙に転写する単色転写モードとに切換可能に構成され、かつ、前記転写搬送ベルトを、当該転写搬送ベルトが全ての感光体ドラムの周面に当接する全色当接位置と、当該転写搬送ベルトが最下流側の感光体ドラムのみに当接する単色当接位置との間で位置変更させるベルト位置変更手段が設けられてなる画像形成装置において、前記レジストローラの直下流側に、前記転写搬送ベルトに用紙を静電吸着するためのの電荷を付与する電荷付与手段が設けられ、この電荷付与手段は、前記レジストローラから転写搬送ベルトへ排紙された用紙の先端側と後端側とに電荷を付与し、用紙の搬送方向の略中央位置に電荷が付与されない非電荷域を形成させるように制御されるものであることを特徴とするものである。
【００１０】
かかる構成によれば、画像形成装置が単色転写モードにモード設定された状態で、レジストローラから転写搬送ベルトへ排紙された用紙は、電荷付与手段が制御されることによって先端側と後端側とに電荷が付与され、これによって用紙の先端側と後端側とが転写搬送ベルトに静電吸着された状態とされるのに対し、用紙の搬送方向の中央部は非電荷域とされているため、この非電荷域は転写搬送に静電吸着されることはなく、転写搬送ベルトに対して容易に摺動し得る状態になっている。
【００１１】
したがって、たとえ用紙の後端がレジストローラのニップから外れるときのショックで斜めになる等の異常姿勢になっても、用紙は、その非電荷域が最下流側の感光体ドラムに到達すると、当該非電荷域が感光体ドラムと転写搬送ベルトとによる押圧挟持で転写搬送ベルトの搬送面を容易に摺動し、これによって用紙の異常姿勢が矯正される。
【００１２】
この矯正に当って用紙の上流側は、転写搬送ベルトに静電吸着しているが、単色転写モードでは用紙が他の感光体ドラムによって転写搬送ベルトに向けて押圧されてはいないため、非電荷域の摺動に追随して転写搬送ベルトの搬送面を容易に摺動し、これによって異常姿勢が矯正される。
【００１３】
このように、転写搬送ベルト上の用紙の搬送方向の中央部に非電荷域を形成させることにより、当該用紙は、レジストローラのニップから外れた瞬間の搬送状態の不安定さに起因した用紙に対する転写不良が確実に解消されるばかりか、用紙の非電荷域の形成は、電荷付与手段の駆動を制御するというソフト的な改良で対応することが可能であるため、転写不良を解消するために所定の新たな機器を付加する必要もなく、装置コストの低減化にも貢献する。
【００１４】
請求項２記載の発明は、請求項１記載の発明において、前記電荷付与手段は、前記転写搬送ベルトが張設されるベルト張設ローラの最上流側のものを備えて構成されていることを特徴とするものである。
【００１５】
かかる構成によれば、特に電荷付与手段として専用の別体を採用する必要がなくなり、その分部品点数を増やさなくても済む。
【００１６】
請求項３記載の発明は、請求項１または２記載の発明において、前記ベルト位置変更手段は、前記転写搬送ベルトを最下流側の感光体ドラムの周面に向けて押圧する下流側ローラ部材と、前記転写搬送ベルトを介して最下流側の感光体ドラムを除く残りの感光体ドラムの周面と対向する上流側ローラ部材とを備え、前記上流側ローラ部材を、前記転写搬送ベルトを前記感光体ドラムの周面に向けて押圧する押圧姿勢と、この押圧を解除する解除姿勢との間で姿勢変更させる姿勢変更手段が設けられていることを特徴とするものである。
【００１７】
かかる構成によれば、下流側ローラ部材は、常に転写搬送ベルトを最下流側感光体ドラムに向けて押圧しているため、転写搬送ベルトが全色当接位置および単色当接位置のいずれに位置設定されていても、転写搬送ベルトによって搬送される用紙には、最下流側の感光体ドラムによる転写処理が施される。
【００１８】
これに対し、上流側ローラ部材は、転写搬送ベルトを介して最下流側の感光体ドラムを除く残りの感光体ドラムの周面と対向するとともに、姿勢変更手段の動作によって転写搬送ベルトを感光体ドラムの周面に向けて押圧する押圧姿勢と、この押圧を解除する解除姿勢との間で姿勢変更し得るようになっているため、当該上流側ローラ部材が押圧姿勢に姿勢設定されることにより、転写搬送ベルトは上流側および下流側ローラ部材の双方によって各感光体ドラムに向けて押圧された状態になる。したがって、この状態で用紙が転写搬送ベルトによって搬送されると、当該用紙に対して全ての感光体ドラムによる転写処理が施され、これによって用紙にいわゆるカラー印刷が施されることになる。
【００１９】
このように、上流側ローラ部材の姿勢変更で画像形成装置を全色転写モードと単色転写モードとの間でモード変更することができるため、転写搬送ベルトそのものをフレームを含めて全体的に動かすことにより当該転写ベルトと感光体ドラムとの離接を行う従来の大掛かりなモード変更機構に比べて装置コストの低減化が実現する。
【００２０】
請求項４記載の発明は、請求項３記載の発明において、前記下流側ローラ部材は、用紙搬送方向と直交した用紙幅方向に延びる下流側ローラ軸回りに回動自在に軸支された下流側ローラ本体と、この下流側ローラ本体を前記下流側ローラ軸を介して支持する下流側ローラ支持枠体と、この下流側ローラ支持枠体を前記転写搬送ベルトへ向けて押圧する下流側付勢手段とを備えて構成され、前記上流側ローラ部材は、用紙搬送方向と直交した用紙幅方向に延びる上流側ローラ軸回りに回動自在に軸支された上流側ローラ本体と、この上流側ローラ本体を前記上流側ローラ軸を介して支持する上流側ローラ支持枠体と、この上流側ローラ支持枠体を前記転写搬送ベルトへ向けて押圧する上流側付勢手段とを備えて構成され、前記上流側ローラ支持枠体は、用紙搬送方向と直交した用紙幅方向に延びる枠体支持軸回りに回動自在に軸支され、前記姿勢変更手段は、前記上流側ローラ支持枠体が前記押圧姿勢と前記解除姿勢との間で姿勢変更するように前記上流側ローラ支持枠体を上流側ローラ軸回りに正逆回動させるソレノイド部材を備えて構成されていることを特徴とするものである。
【００２１】
かかる構成によれば、転写搬送ベルトは、その下流端側が下流側付勢手段により下流側ローラ支持枠体を介して付勢された下流側ローラ本体によって常に下流側感光体ドラムに当接された状態になる一方、転写搬送ベルトの上流側は、ソレノイド部材の動作による上流側ローラ支持枠体の押圧姿勢と解除姿勢との間の姿勢変更によって、上流側ローラによる押圧で上流側感光体ドラムに当接した全色当接位置と、上流側ローラによる押圧が解除された単色当接位置との間で位置変更するため、かかる位置変更によって画像形成装置を全色転写モードと単色転写モードとの間でモード変更することができる。
【００２２】
このように、下流側ローラ部材を下流側ローラ本体、下流側ローラ支持枠体および下流側付勢手段とを備えて構成するとともに、上流側ローラ部材を上流側ローラ本体、上流側ローラ支持枠体および上流側付勢手段とを備えて構成し、さらに、上流側ローラ支持枠体を押圧姿勢と解除姿勢との間で姿勢変更し得るように上流側ローラ軸回りに正逆回動させるソレノイド部材を姿勢変更手段として採用することにより、画像形成装置の全色転写モードと単色転写モードとの間のモード変更構造が簡単なものになる。
【発明の効果】
【００２３】
請求項１記載の発明によれば、たとえ用紙の後端がレジストローラのニップから外れるときのショックで斜めになる等の異常姿勢になっても、用紙は、その非電荷域が最下流側の感光体ドラムに到達すると、当該非電荷域が感光体ドラムと転写搬送ベルトとによる押圧挟持で転写搬送ベルトの搬送面を容易に摺動し、これによって用紙の異常姿勢を正常な姿勢に矯正することができる。
【００２４】
このように、転写搬送ベルト上の用紙の搬送方向の中央部に非電荷域を形成させることにより、レジストローラのニップから外れた瞬間の搬送状態の不安定さに起因した用紙に対する転写不良を確実に防止することができるばかりか、用紙の非電荷域の形成を電荷付与手段の駆動制御すでソフト的に行っているため、転写不良を解消するために所定の新たな機器を付加する必要もなく、装置コストの低減化に貢献することができる。
【００２５】
請求項２記載の発明によれば、電荷付与手段は、前記転写搬送ベルトが張設されるベルト張設ローラの最上流側のものを備えて構成されているため、特に電荷付与手段として専用の別体を採用する必要がなくなり、その分部品点数を増やさなくてもよく、装置コストの低減化に寄与することができる。
【００２６】
請求項３記載の発明によれば、上流側ローラ部材の姿勢変更で画像形成装置を全色転写モードと単色転写モードとの間でモード変更することができるため、転写搬送ベルトそのものをフレームを含めて全体的に動かすことにより当該転写ベルトと感光体ドラムとの離接を行う従来の大掛かりなモード変更機構に比べて装置コストの低減化を図ることができる。
【００２７】
請求項４記載の発明によれば、下流側ローラ部材を下流側ローラ本体、下流側ローラ支持枠体および下流側付勢手段とを備えて構成するとともに、上流側ローラ部材を上流側ローラ本体、上流側ローラ支持枠体および上流側付勢手段とを備えて構成し、さらに、上流側ローラ支持枠体を押圧姿勢と解除姿勢との間で姿勢変更し得るように上流側ローラ軸回りに正逆回動させるソレノイド部材を姿勢変更手段として採用することにより、画像形成装置の全色転写モードと単色転写モードとの間のモード変更構造を簡単なものにすることができる。
【発明を実施するための最良の形態】
【００２８】
図１は、本発明に係る画像形成装置の一実施形態を示す外観斜視図であり、図２は、画像形成装置の内部構造の概要を説明するための正面断面視の説明図である。なお、これらの図において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００２９】
画像形成装置１０は、図１に示すような箱形を呈する装置本体１１を有し、この装置本体１１の上部には、原稿からその画像を読み取る原稿読取部１２と、画像形成処理に対して各種の条件を入力する入力部１７とが設けられているとともに、装置本体１１内における原稿読取部１２より下方位置には、図２に示すように、原稿読取部１２によって読み取られた原稿の画像情報に基づき画像を形成する画像形成部１３と、この画像形成部１３によって形成され、用紙に転写された画像に定着処理を施す定着部１４と、転写用の用紙を貯留する用紙貯留部１５とが内装されている。
【００３０】
前記原稿読取部１２は、開閉可能な原稿押え１２１と、装置本体１１内でコンタクトガラス１２２（図２）を介して原稿押え１２１と対向配置された光学系ユニット１２５とを備えて構成されている。なお、本実施形態においては、コンタクトガラス１２２は、載置された原稿の原稿面を読み取るための、原稿押え１２１より若干小さい平面形状を有する載置原稿用コンタクトガラス１２２ａと、自動給紙された原稿の原稿面を読み取る前後方向に長尺の細長い自動給紙用コンタクトガラス１２２ｂとが採用されている。
【００３１】
前記原稿押え１２１は、二段構造で構成され、上段に設けられた原稿を載置するための原稿トレイ１２６と、下段に設けられた画像読み取り済の原稿が排紙される原稿排紙トレイ１２３とを有している。原稿押え１２１の左側部には、原稿トレイ１２６と原稿排紙トレイ１２３との間に介設された原稿送り部１２４が形成され、この原稿送り部１２４に設けられた図略の原稿送り機構によって原稿トレイ１２６上に載置された用紙束から１枚ずつがピックアップされて自動給紙用コンタクトガラス１２２ｂへ供給され、移動しながらこの自動給紙用コンタクトガラス１２２ｂを介して光学系ユニット１２５によリ原稿面が読み取られるようになっている。
【００３２】
光学系ユニット１２５は、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光が原稿面で反射され、この反射光がこれらミラーおよびレンズユニットを介して原稿上方としてＣＣＤに入力されるようになっている。ＣＣＤに入力されたアナログ量としての原稿情報は、デジタル信号に変換され、デジタルの原稿情報として所定の記憶装置に記憶されるようになっている。
【００３３】
前記画像形成部１３は、用紙貯留部１５から給紙された用紙にトナー画像を形成させるものであり、図２に示すように、上流側（図２の紙面の右側）から下流側へ向けて順次配設されたイエロー用ユニット１３Ｙと、マゼンタ用ユニット１３Ｍと、シアン用ユニット１３Ｃと、ブラック用ユニット（最下流側の感光体ドラム）１３Ｋとを有している。
【００３４】
各ユニット１３Ｙ，１３Ｍ，１３Ｃ，１３Ｋには、感光体ドラム１３１および現像装置１３２がそれぞれ備えられている。各感光体ドラム１３１は、図２において時計方向へ向けて回転しつつ対応した現像装置１３２からトナーの供給を受けるようになっている。
【００３５】
各感光体ドラム１３１の図２における上方左寄りの位置には帯電部１３３がそれぞれ設けられているとともに、同上方右寄りの位置には露光部１３４がそれぞれ設けられている。そして、各感光体ドラム１３１は、前記帯電部１３３によって周面が一様に帯電され、原稿読取部１２で入力された画像データに基づくレーザー光が前記各露光部１３４から帯電後の感光体ドラム１３１の周面に照射されることにより、各感光体ドラム１３１の周面に静電潜像が形成されるようになっている。かかる静電潜像に現像装置１３２からトナーが供給されることにより、感光体ドラム１３１の周面にトナー像が形成されるようになっている。
【００３６】
また、各感光体ドラム１３１の図２における左方下部位置には感光体ドラム１３１の周面の残留トナーを除去してクリーニングするクリーニング装置１３５が設けられている。クリーニング装置１３５によって清浄化処理された感光体ドラム１３１の周面は、新たな帯電処理のために帯電部１３３へ向かうことになる。
【００３７】
各感光体ドラム１３１の下方位置には、搬送面が各感光体ドラム１３１と対向するように配設された転写搬送ベルト２０が設けられている。この転写搬送ベルト２０は、ブラック用ユニット１３Ｋの若干下流側に設けられた駆動ローラ２１と、イエロー用ユニット１３Ｙの若干上流側に設けられた従動ローラ２２とに掛け回され、駆動ローラ２１の駆動回転によって反時計方向に向けて周回するようになっている。そして、用紙貯留部１５から供給された用紙は、この転写搬送ベルト２０の周回に誘導されて感光体ドラム１３１の周面に当接しながら移動し、転写処理が施されるようになっている。
【００３８】
かかる転写搬送ベルト２０は、往きベルトが図２に図示を省略した後述の固定ローラ部材３０および可動ローラ部材４０（図３参照）によって押圧されることにより、各ユニット１３Ｙ，１３Ｍ，１３Ｃ，１３Ｋの感光体ドラム１３１の周面に当接するようになっている。
【００３９】
前記従動ローラ２２の上部には、周面が当該従動ローラ２２の周面と対向した押えローラ２４が設けられ、後述するレジストローラ対１５４から給紙された用紙Ｐは、押えローラ軸２４１（図３）回りに回転する押えローラ２４の周面と駆動ローラ２１および従動ローラ２２間を周回する転写搬送ベルト２０に挟持された状態で転写搬送ベルト２０上へ供給されるようになっている。
【００４０】
そして、本発明においては、図３に示すように、反時計方向へ向けて周回している転写搬送ベルト２０と、押えローラ軸２４１回りに時計方向に回転している押えローラ２４とに挟持されて転写搬送ベルト２０上に給紙される用紙Ｐに対して電荷を付与する電荷付与手段５０が設けられている。この電荷付与手段５０は、用紙Ｐの上面側に正の電荷を印加する端子としての機能が付与された前記押えローラ２４と、アース部材としての機能が付与された前記従動ローラ２２と、押えローラ２４に正電圧を供給する直流電源５１と、この直流電源５１と押えローラ２４との間に介設された電磁スイッチ５２とを備えて構成されている。前記直流電源５１は、マイナス極がアースされている。
【００４１】
前記電磁スイッチ５２は、図略のソレノイドの励磁・消磁で動作する可動接触子５３と、この可動接触子５３の動作によって開閉される一対の接点５４とを備えている。前記接点５４は、直流電源５１のプラス極と接続される第１接点５４１と、押えローラ軸２４１に接続される第２接点５４２とからなっている。一方、従動ローラ２２が電気的に接続状態で軸支される従動ローラ軸２２１は、アースされている。
【００４２】
電荷付与手段５０のかかる構成によれば、電磁スイッチ５２がオンした（すなわち可動接触子５３が第１および第２接点５４１，５４２と当接した）状態で直流電源５１の正電圧が押えローラ２４の周面を介して用紙Ｐに供給され、これによって荷電された用紙Ｐが転写搬送ベルト２０に静電吸着され、この状態で転写搬送ベルト２０によって搬送されることになる。
【００４３】
そして、本実施形態においては、画像形成装置１０が全色転写モードに設定されたとき（すなわち、可動ローラ部材４０が押圧姿勢に姿勢設定されたとき）には、図３および図６の（イ）に示すように、接点５４はオフにされるのに対し、画像形成装置１０が単色転写モードに設定されたとき（すなわち、可動ローラ部材４０が解除姿勢に姿勢設定されたとき）には、接点５４が所定の条件でオン（図６の（ロ））・オフされるが、その詳細については後述する。
【００４４】
画像形成装置１０が全色転写モードに設定されているときに接点５４がオフされるのは、全色転写モードでは、各可動ローラ部材４０Ｙ，４０Ｍ，４０Ｃの全てが転写搬送ベルト２０を上方に押圧し、これによって転写搬送ベルト２０が各可動ローラ部材４０Ｙ，４０Ｍ，４０Ｃと対応した各感光体ドラム１３１に当接しているため、特に用紙Ｐに電荷を付与しなくても、当該用紙Ｐが適正に搬送されるからである。
【００４５】
前記定着部１４は、画像形成部１３で転写された用紙上のトナー像に対し定着処理を施すものであり、上下で対向配置されたヒートローラ１４１と加圧ローラ１４２とを備えている。転写搬送ベルト２０の周回によって画像形成部１３から導出された転写処理済の用紙は、これらヒートローラ１４１および加圧ローラ１４２間で加熱されつつ押圧挟持されることによる熱処理でトナー画像が定着され、用紙上に安定したカラー画像が形成される。定着処理の完了したカラー画像付の用紙は、排紙搬送路１０２を通って装置本体１１の左側壁から突設された排紙トレイ１０１へ向けて排出される。
【００４６】
前記用紙貯留部１５は、装置本体１１に挿脱自在に装着された複数段の用紙トレイ１５１を有している。各用紙トレイ１５１には、それぞれ用紙束が貯留されるようになっている。そして、選択された用紙トレイ１５１の用紙束からピックアップローラ１５２の駆動で用紙Ｐが１枚ずつ繰り出され、給紙搬送路１５３を通って画像形成部１３へ導入されるようになっている。給紙搬送路１５３の下流端には、転写搬送ベルト２０の上流端に臨んだレジストローラ対１５４が設けられ、用紙Ｐは、このレジストローラ対１５４のニップによって安定した状態で転写搬送ベルト２０へ給紙されるようになっている。
【００４７】
また、本実施形態の画像形成装置１０においては、装置本体１１内に用紙Ｐに対して両面印刷を行うための用紙反転部１６が設けられている。この用紙反転部１６は、画像形成部１３と用紙貯留部１５との間に介設された、片面に定着処理後の画像を有する用紙Ｐを一時的に貯留する中間トレイ１６１と、定着部１４の直下流位置に設けられ、定着処理後の用紙Ｐに対して排紙搬送路１０２および返送搬送路１０３のいずれか一方に用紙Ｐを振り分ける切換ガイド１６２と、一旦中間トレイ１６１に排紙された用紙Ｐを後端側から排紙する反転ローラ対１６３とを備えている。
【００４８】
そして、前記切換ガイド１６２の切り換え操作によって返送搬送路１０３および反転ローラ対１６３を介して一旦中間トレイ１６１へ排紙された用紙Ｐは、反転ローラ対１６３の逆回転によって後端側から排出され、反転搬送路１０４を通って給紙搬送路１５３へ向かわせられるようになっている。この給紙搬送路１５３へ供給された表裏反転後の用紙Ｐは、再度画像形成部１３へ供給されることにより裏面側に対して転写処理が施されることになる。
【００４９】
前記入力部１７は、図１に示すように、装置本体１１の上面前部に装着された支持フレームとしての枠体１７１と、この枠体１７１に支持されたパネルボード１７５とを備えて構成されている。
【００５０】
前記枠体１７１は、装置本体１１の前面と面一の幅方向に長尺な前方枠１７２と、前記原稿押え１２１の前縁部より若干下位で前方枠１７２と対向した後方枠１７３と、これら前方枠１７２および後方枠１７３の左右の端部間に架設された幅方向一対の側方枠１７４と、これら各枠に囲繞された図略の底板とを備えて構成されている。前記パネルボード１７５は、かかる枠体１７１の前方枠１７２、後方枠１７３および一対の側方枠１７４に囲まれた空間に嵌め込まれた状態で底板に支持されている。
【００５１】
かかるパネルボード１７５の上面には、略中央位置に液晶からなる表示パネル１７６が設けられているとともに、この表示パネル１７６の右側にテンキー１７７が配列されている。また、このテンキー１７７の右側にはスタートボタン１７８が設けられているとともに、スタートボタン１７８の後方位置には電源スイッチ１７８ａが設けられている。さらに、前記表示パネル１７６の左側にはモード切換えキー１７９が設けられている。
【００５２】
前記表示パネル１７６は、各種の入力情報や出力情報を液晶表示したり、表示された処理条件の内で選択したものについてタッチイン操作で入力したりするものである。また、前記テンキー１７７は、コピー枚数などの主に数量情報を設定するためのものである。
【００５３】
前記モード切換えキー１７９は、画像形成装置１０のモードを切り換えるためのものであり、本実施形態においては、画像形成装置１０を複写機として使用するときに押下されるコピーキー１７９ａと、プリンタとして使用するときに押下されるプリンタキー１７９ｂと、スキャナとして使用するときに押下されるスキャナキー１７９ｃと、画像形成装置１０を全色転写モードと単色転写モードとの間で切り換える転写モード切換えキー１７９ｄとを備えている。
【００５４】
前記スタートボタン１７８は、画像形成装置１０に対する各種の処理条件が設定された状態で押下されるものであり、この押下によって設定された処理条件に沿う画像形成処理が実行されることになる。なお、パネルボード１７５には、これら表示パネル１７６、テンキー１７７、スタートボタン１７８およびモード切換えキー１７９の他にも必要に応じて各種のキーやボタンが設けられる。
【００５５】
図３は、転写搬送ベルト２０の一実施形態の詳細を説明するための正面図である。また、図４は、固定ローラ部材３０の一実施形態を示す斜視図であり、図５は、可動ローラ部材４０の一実施形態を示す斜視図である。なお、これらの図におけるＸおよびＹによる方向表示は、図１の場合と同様である。
【００５６】
まず、図３に示すように、転写搬送ベルト２０は、前記駆動ローラ２１および従動ローラ２２の他に、復りベルトが張設される所定個数の補助ローラ２３と、往きベルトを介してブラック用ユニット１３Ｋの周面と対向配置された固定ローラ部材（下流側ローラ部材）３０と、往きベルトを介してブラック用ユニット１３Ｋを除く他のユニット１３Ｙ，１３Ｍ，１３Ｃと対向配置された、ベルト位置変更手段としての可動ローラ部材（上流側ローラ部材）４０とに掛け回され、駆動ローラ２１の駆動回転で周回するようになっている。
【００５７】
前記固定ローラ部材３０は、ブラック用ユニット１３Ｋに対応して設けられるものであり、図４に示すように、前後方向に長尺のローラ支持枠体（下流側ローラ支持枠体）３１と、このローラ支持枠体３１に支持された、転写搬送ベルト２０をブラック用ユニット１３Ｋの感光体ドラム１３１の周面に向けて押圧する転写ローラ（下流側ローラ本体）３２と、ローラ支持枠体３１を介して転写ローラ３２に前記押圧のための付勢力を付与するコイルスプリング（下流側付勢手段）３３とを備えた基本構成を有している。
【００５８】
前記ローラ支持枠体３１は、転写搬送ベルト２０の前後幅寸法より若干長尺の底板３１１と、この底板３１１の両端部からそれぞれ上方に向って突設された一対の軸受板３１２とを備えて構成されている。そして、前記転写ローラ３２は、各軸受板３１２間に架設されたローラ軸３２１回りに回転自在に軸支されることによってローラ支持枠体３１に装着されている。
【００５９】
前記コイルスプリング３３は、ローラ支持枠体３１の底板３１１の下面から下方に向けて突設された一対の支持ロッド３４に外嵌された状態でローラ支持枠体３１を上方に向けて付勢するようになっている。具体的には、底板３１１の下方位置には、当該底板３１１と対応するように配設された所定のフレーム３５が設けられ、このフレーム３５に前記一対の支持ロッド３４に対応するように一対のコ字状部材３６が固定されている。
【００６０】
このコ字状部材３６は、上下方向に延びる立設板３６１と、この立設板３６１の上下の端部から水平に同一方向に向けて突設された突設板３６２とからなり、下部の突設板３６２が前記フレーム３５に固定されている。かかるコ字状部材３６の一対の突設板３６２およびフレーム３５には、上下で対向した位置にそれぞれ支持ロッド３４を嵌入するための嵌入孔３７が穿設され、この嵌入孔３７にコイルスプリング３３の外嵌された支持ロッド３４が差し込まれることによってローラ支持枠体３１がコ字状部材３６に装着されるようになっている。
【００６１】
前記コイルスプリング３３は、転写ローラ３２が転写搬送ベルト２０の下面に当接されることによって圧縮弾性変形するように長さ設定されている。したがって、固定ローラ部材３０が支持ロッド３４を介してコ字状部材３６に装着された状態では、ローラ支持枠体３１の底板３１１が圧縮弾性変形したコイルスプリング３３の付勢力で上方に向けて押圧され、これによって転写ローラ３２が、図３に示すように、前記転写搬送ベルト２０を介してブラック用ユニット１３Ｋの感光体ドラム１３１の周面に押圧当接するようになっている。
【００６２】
前記可動ローラ部材（上流側ローラ部材）４０は、図３に示すように、イエロー用ユニット１３Ｙの感光体ドラム１３１に対応するイエロー可動ローラ部材４０Ｙと、マゼンタ用ユニット１３Ｍに対応するマゼンタ可動ローラ部材４０Ｍと、シアン用ユニット１３Ｃに対応するシアン可動ローラ部材４０Ｃとを備えている。
【００６３】
かかる可動ローラ部材４０は、図５に示すように、Ｌ形状を呈する前後幅方向一対のＬ形ローラ支持部材（上流側ローラ支持枠体）４１と、これら一対のＬ形ローラ支持部材４１に挟持された転写ローラ（上流側ローラ本体）４２と、Ｌ形ローラ支持部材４１を介して転写ローラ４２に付勢力を付与するコイルスプリング（上流側付勢手段）４３と、所定の動作で転写ローラ４２に付与されたコイルスプリング４３の付勢力を解消するソレノイド部材（姿勢変更手段）４４とを備えて構成されている。
【００６４】
前記Ｌ形ローラ支持部材４１は、左方に向って先下がりに延びる下部杆４１１と、この下部杆４１１の右端部から略直角で先上りに延設された上部杆４１２とからなっている。各Ｌ形ローラ支持部材４１の下部杆４１１および上部杆４１２の接合部分にそれぞれ軸支部４１３が形成され、各軸支部４１３に支持軸（枠体支持軸）４５が架設貫通されている。かかる支持軸４５は、装置本体１１内の適所に設けられた前後幅方向一対の所定のフレーム４６に支持され、これによってＬ形ローラ支持部材４１が装置本体１１内におけるイエロー用ユニット１３Ｙ、マゼンタ用ユニット１３Ｍおよびシアン用ユニット１３Ｃの下方位置に支持軸４５回りに回動可能に装着されるようになっている。
【００６５】
前記転写ローラ４２は、一対のＬ形ローラ支持部材４１における上部杆４１２の先端部間に架設されたローラ軸（上流側ローラ軸）４２１回りに回転自在に軸支されている。かかる転写ローラ４２は、その周面が転写搬送ベルト２０を介して感光体ドラム１３１の周面と対向し得るようにＬ形ローラ支持部材４１間における架設位置が設定されている。
【００６６】
前記コイルスプリング４３は、前記Ｌ形ローラ支持部材４１を支持軸４５回りに時計方向に向けて付勢し、これによって転写ローラ４２を転写搬送ベルト２０を介して感光体ドラム１３１へ押圧当接させるものである。かかるコイルスプリング４３は、一対のＬ形ローラ支持部材４１の各下部杆４１１の間に架設された可動ロッド４７と、Ｌ形ローラ支持部材４１より左方位置（下流側の位置）で前後幅方向一対のフレーム４６間に架設された固定ロッド４８との間に伸張弾性変形状態で一対が架設されている。
【００６７】
かかるコイルスプリング４３の付勢力によって、Ｌ形ローラ支持部材４１は、支持軸４５回りに時計方向へ向かう力が付与され、これによって上部杆４１２の先端に設けられた転写ローラ４２が転写搬送ベルト２０を上方に向けて押圧し、転写搬送ベルト２０が感光体ドラム１３１の周面に押圧当接するようになっている。
【００６８】
前記ソレノイド部材４４は、Ｌ形ローラ支持部材４１に対してその転写ローラ４２が転写搬送ベルト２０を押圧する押圧姿勢と、この押圧を解除する解除姿勢との間で姿勢変更操作するものであり、一対のフレーム４６間における可動ロッド４７より下流側（左側）で、かつ、可動ロッド４７より若干下方位置に架設された架設フレーム４９上の前後幅方向中央部に固定されている。
【００６９】
かかるソレノイド部材４４は、内部にソレノイドを備えた箱形のケーシング４４１と、このケーシング４４１内でソレノイドに貫通するとともに、摺動可能にケーシング４４１を左右方向（用紙搬送方向）に貫通した鉄心ロッド４４２と、この鉄心ロッド４４２の上流側（右側）端部に連結軸４４４回りに回動自在に連結された連結ロッド４４３とを備えて構成されている。
【００７０】
前記鉄心ロッド４４２は、ケーシング４４１に内装された図略の付勢手段によって下流側に向けて付勢されており、ソレノイドが励磁されたときのみ付勢手段の付勢力に抗して上流側に向けて移動するようになっている。また、前記連結ロッド４４３は、その先端（右端）が回動自在に前記可動ロッド４７に外嵌されており、鉄心ロッド４４２の正逆移動に応じて可動ロッド４７を支持軸４５回りに正逆回動させ得るようになっている。
【００７１】
したがって、普段は、ソレノイドが励磁されていないことにより鉄心ロッド４４２が付勢手段の付勢力で左方に移動し、これによってＬ形ローラ支持部材４１がコイルスプリング４３の付勢力で支持軸４５回りに時計方向へ回動して転写ローラ４２が転写搬送ベルト２０を押圧した状態になっている。これに対し、ソレノイドが励磁されると、鉄心ロッド４４２が右方へ移動し、これによって連結ロッド４４３が可動ロッド４７を右方に向けて押圧することによりＬ形ローラ支持部材４１が支持軸４５回りに反時計方向に回動して転写ローラ４２の転写搬送ベルト２０に対する押圧が解除されることになる。
【００７２】
そして、本発明においては、図３に示すように、イエロー用ユニット１３Ｙに対応した可動ローラ部材４０のＬ形ローラ支持部材４１が押圧姿勢に姿勢設定された状態で、従動ローラ２２の上面が転写ローラ４２の上面より若干下方に位置するように当該従動ローラ２２の高さレベルが設定されている。したがって、転写搬送ベルト２０は、従動ローラ２２とイエロー用ユニット１３Ｙの転写ローラ４２との間で下流側（左側）に向って先上りに傾斜した状態になっている。
【００７３】
図６は、上記のような可動ローラ部材４０の作用を説明するための説明図であり、（イ）は、Ｌ形ローラ支持部材４１が押圧姿勢に姿勢設定された状態、（ロ）は、のＬ形ローラ支持部材４１が解除姿勢に姿勢設定された状態をそれぞれ示している。
【００７４】
まず、図６の（イ）に示す、可動ローラ部材４０のＬ形ローラ支持部材４１が押圧姿勢に姿勢設定された状態は、画像形成装置１０が全色転写モードに設定された、いわゆるカラー印刷を行う状態であり、ソレノイド部材４４のソレノイドが励磁されないことによってＬ形ローラ支持部材４１がコイルスプリング４３により支持軸４５回りに反時計方向に向かう付勢力を受け、イエロー用ユニット１３Ｙ、マゼンタ用ユニット１３Ｍおよびシアン用ユニット１３Ｃにおける各転写ローラ４２が転写搬送ベルト２０を上方に向けて押圧し、これによって転写搬送ベルト２０がイエロー用ユニット１３Ｙ、マゼンタ用ユニット１３Ｍおよびシアン用ユニット１３Ｃの感光体ドラム１３１に押圧当接した状態になっている。
【００７５】
なお、ブラック用ユニット１３Ｋに係る転写ローラ３２は、画像形成装置１０が全色転写モードに設定されているか、あるいは単色転写モードに設定されているかに拘らず、常に転写搬送ベルト２０に当接されている。
【００７６】
したがって、この状態で用紙Ｐがレジストローラ対１５４を介して転写搬送ベルト２０上に給紙されると、当該用紙Ｐは、転写搬送ベルト２０の反時計方向へ向かう周回に誘導されて搬送されつつ、イエロー用ユニット１３Ｙ、マゼンタ用ユニット１３Ｍおよびシアン用ユニット１３Ｃにおいて時計方向に回転している各感光体ドラム１３１と転写搬送ベルト２０との間に押圧挟持された状態でそれぞれのユニットの転写処理が施され、最後にブラック用ユニット１３Ｋの感光体ドラム１３１による転写処理が施され、これによって用紙Ｐにカラー印刷が施されることになる。
【００７７】
これに対し、図６の（ロ）に示す、可動ローラ部材４０のＬ形ローラ支持部材４１が解除姿勢に姿勢設定された状態、すなわち画像形成装置１０が単色転写モードに設定された状態は、用紙Ｐに黒色のみの印刷を施す、いわゆるモノトーン印刷を行う状態であり、ソレノイド部材４４のソレノイドが励磁されることにより、Ｌ形ローラ支持部材４１がソレノイド部材４４の付勢力に抗して支持軸４５回りに反時計方向に向けて回動させられ、これによって転写ローラ４２の転写搬送ベルト２０に対する押圧が解除された状態になっている。
【００７８】
したがって、この状態においては、イエロー用ユニット１３Ｙ、マゼンタ用ユニット１３Ｍおよびシアン用ユニット１３Ｃの転写ローラ４２を介することなく転写搬送ベルト２０が従動ローラ２２とブラック用ユニット１３Ｋの転写ローラ３２との間に直接張設された状態になり、これによってレジストローラ対１５４から転写搬送ベルト２０上へ給紙された用紙Ｐは、イエロー用ユニット１３Ｙ、マゼンタ用ユニット１３Ｍおよびシアン用ユニット１３Ｃの各感光体ドラム１３１に当接することなく、転写搬送ベルト２０の周回によってブラック用ユニット１３Ｋの感光体ドラム１３１へ供給され、当該用紙Ｐにブラック用ユニット１３Ｋにおける転写処理のみが施されることになる。
【００７９】
なお、画像形成装置１０がこのような単色転写モードに設定されているときには、イエロー用ユニット１３Ｙ、マゼンタ用ユニット１３Ｍおよびシアン用ユニット１３Ｃの感光体ドラム１３１は停止されている。
【００８０】
そして、本発明においては、画像形成装置１０が単色転写モードに設定された場合（すなわちイエロー用ユニット１３Ｙ、マゼンタ用ユニット１３Ｍおよびシアン用ユニット１３Ｃの可動ローラ部材４０のＬ形ローラ支持部材４１が解除姿勢に姿勢設定された場合）において、用紙Ｐの先端（下流端）側がブラック用ユニット１３Ｋの感光体ドラム１３１と転写搬送ベルト２０とに挟持されているにも拘らずに未だ用紙Ｐの後側（下流側）がレジストローラ対１５４から外れることなく当該レジストローラ対１５４に挟持された状態になっているときには、解除姿勢に姿勢設定されている各Ｌ形ローラ支持部材４１（図６の（ロ））が一時的に押圧姿勢（図６の（イ））に姿勢変更される。この姿勢変更されたＬ形ローラ支持部材４１の押圧姿勢は、用紙Ｐの後端がレジストローラ対１５４を通過してしまうまで継続される。
【００８１】
このような姿勢変更が行われるのは、以下のような理由による。すなわち、通常の画像形成装置１０においては、レジストローラ対１５４とブラック用ユニット１３Ｋの感光体ドラム１３１との間の距離は、Ａ４サイズの用紙の長尺寸法より若干長めに設定されている。そして、Ｌ形ローラ支持部材４１が解除姿勢に姿勢設定された状態（図６の（ロ））でＡ４サイズの用紙Ｐ（またはこれより小サイズの用紙）を横送り（用紙Ｐの長尺方向が搬送方向と平行になる送り方）した場合には、当該用紙Ｐの先端がブラック用ユニット１３Ｋの感光体ドラム１３１に到達した時点で用紙Ｐの後端はレジストローラ対１５４から外れているため、以後の用紙Ｐの搬送は、転写搬送ベルト２０の周回に支配された状態になっている。
【００８２】
したがって、この状態でブラック用ユニット１３Ｋの感光体ドラム１３１による転写処理が用紙Ｐに施されても、用紙Ｐの搬送状態が安定しているため、用紙Ｐの転写画像が乱れるような不都合の生じることがない。
【００８３】
これに対し、Ｌ形ローラ支持部材４１が解除姿勢に姿勢設定された状態（図６の（ロ））で転写対象の用紙Ｐが、例えばＡ３サイズのものであり、かかるＡ３サイズの用紙Ｐが横送りで転写搬送ベルト２０により搬送されるような場合には、図６の（ロ）に示すように、当該用紙Ｐの先端部がブラック用ユニット１３Ｋの感光体ドラム１３１に到達しているにも拘らず、上流側は未だにレジストローラ対１５４に挟持された状態になっている。
【００８４】
このような状態でモノトーンの転写処理が継続されると、用紙Ｐの後端がレジストローラ対１５４の挟持から開放された時点で、用紙Ｐは、今まで搬送に対して支配的であったレジストローラ対１５４による搬送状態から解き放たれ、転写搬送ベルト２０の周回による搬送に急に切り替えられるため、転写搬送ベルト２０による搬送速度と、レジストローラ対１５４による搬送速度との微妙な差によって用紙Ｐの搬送状態が一時的に不安定になり、これによる用紙Ｐの振れ等によって感光体ドラム１３１による用紙Ｐへの転写処理が正常に行われなくなり、用紙Ｐに正常でない画像が転写されてしまうという不具合が生じる。
【００８５】
そこで、本発明においては、電荷付与手段５０によってレジストローラ対１５４から転写搬送ベルト２０へ給紙された用紙Ｐの先端から当該用紙Ｐの搬送方向中央部に向けて所定寸法だけ、および用紙Ｐの後端から同中央部に向けて所定寸法だけ当該用紙Ｐに電荷を付与するようにしている。これによって、レジストローラ対１５４から転写搬送ベルト２０へ給紙された用紙Ｐには、図７の（ハ）に示すように、前方部分に下流側電荷域Ｐ１が、後方部分に上流側電荷域Ｐ２がそれぞれ形成されるとともに、下流側電荷域Ｐ１と上流側電荷域Ｐ２との間に電荷が付与されない非電荷域Ｐ３が形成された状態になる。
【００８６】
こうすることによって、画像形成装置１０が単色転写モードに設定された状態（すなわち、Ｌ形ローラ支持部材４１が解除姿勢に姿勢設定された状態）で、レジストローラ対１５４から転写搬送ベルト２０へ給紙された用紙Ｐの先端がブラック用ユニット１３Ｋの感光体ドラム１３１に到達した後、用紙Ｐの後端がレジストローラ対１５４から外れたときに、感光体ドラム１３１とレジストローラ対１５４との速度差等によるショックで当該用紙Ｐの搬送姿勢に斜めになる等の異常が生じても、この搬送姿勢の異常は用紙Ｐに形成された非電荷域Ｐ３の変形によって吸収される。
【００８７】
図７は、用紙Ｐに電荷が付与される状態を説明するための説明図であり、（イ）は、用紙Ｐに形成される電荷の状態を説明するための説明図、（ロ）は、用紙Ｐに付与される電荷量（吸着バイアス：用紙Ｐの下面側に形成された電荷の値）の経時変化を示すグラフ、（ハ）は、電荷が付与された用紙Ｐを示す平面図である。なお、図７の（イ）では、用紙Ｐおよび転写搬送ベルト２０の厚み寸法を誇張して示している。
【００８８】
まず、図７の（イ）に示すように、直流電源５１からの正の電圧が押えローラ２４を介して用紙Ｐに印加されることにより、用紙Ｐの上面側がプラスに帯電する一方、用紙Ｐの下面側にマイナスの電荷が形成される。一方、従動ローラ２２はアースされているため、転写搬送ベルト２０の裏面側はマイナスに帯電し、これによって転写搬送ベルト２０の表面側は、プラスの電荷が形成されることによりプラスに帯電している。したがって、マイナスに帯電した用紙Ｐの下面側がプラスに帯電した転写搬送ベルト２０の表面に静電吸着されることになる。
【００８９】
ついで、図７の（ロ）に示すグラフにおいては、横軸に時間Ｔ（ｓｅｃ）を設定するとともに縦軸に吸着バイアスＥ（ｋＶ）を設定している。この吸着バイアスＥは、用紙Ｐの下面側のマイナス電位の値から転写搬送ベルト２０の表面のプラス電位の値を差し引いた値として定義されるため、用紙Ｐに直流電源５１の電圧が印加された状態ではマイナスの値になる一方、用紙Ｐへの電圧印加が解消された状態では「０」になる。
【００９０】
そして、このグラフでは、転写処理が施される用紙Ｐとして横送りされるＡ３サイズのものを想定し、時刻Ｔ０で用紙Ｐの先端がレジストローラ対１５４を通過するとともに、時刻Ｔ３で用紙Ｐの後端がレジストローラ対１５４を通過するとしている。そして、本実施形態においては、用紙Ｐの先端がレジストローラ対１５４を通過した時刻Ｔ０から時刻Ｔ１までの間、用紙Ｐに電圧が印加され、時刻Ｔ２から時刻Ｔ２の間のｔ秒間だけ用紙Ｐへの電圧印加が中断され、その後の時刻Ｔ２から時刻Ｔ３までは再度用紙Ｐに電圧が印加されるようにしている。
【００９１】
したがって、用紙Ｐの後端が押えローラ２４を通過した時点では、図７の（ハ）に示すように、用紙Ｐの上流側（図７の左側）に下流側電荷域Ｐ１が形成され、同下流側に上流側電荷域Ｐ２が形成されているとともに、これら下流側電荷域Ｐ１と上流側電荷域Ｐ２との間に電荷が存在しない非電荷域Ｐ３が形成された状態になっている。本実施形態においては、下流側電荷域Ｐ１および上流側電荷域Ｐ２の各搬送方向長さ寸法は同一に設定されているとともに、非電荷域Ｐ３の搬送方向長さ寸法は、用紙Ｐの搬送方向長さ寸法の略１／５に設定されているが、これらの寸法に限定されるものではなく、画像形成装置１０の機種や用紙Ｐのサイズ、さらには用紙Ｐの搬送速度、直流電源５１の起電力等の各種の条件に応じて最適の値が設定される。この最適の値を見出すために種々の試験を実施することは有効である。
【００９２】
図８は、本発明の作用（実施例）を従来技術の作用（比較例）との比較において説明するための説明図であり、転写搬送ベルト２０上で上流側が斜めになった用紙Ｐに対する姿勢矯正を例に挙げており、（イ）は実施例を、（ロ）は比較例をそれぞれ示している。なお、図８において、（イ）および（ロ）の後に付された添え字の「ａ」は、平面図であることを示し、同添え字の「ｂ」は側面図であることを示している。また、図８におけるＸおよびＹによる方向表示は図１の場合と同様である。
【００９３】
まず、図８の（イ）に示す実施例の場合、転写搬送ベルト２０上の用紙Ｐは、図８の（イ）−ａに示すように、その上流側電荷域Ｐ２が前方（図８の紙面の下方）に若干傾斜した状態で転写搬送ベルト２０に静電吸着している。
【００９４】
この状態で、用紙Ｐが転写搬送ベルト２０の周回で搬送され、非電荷域Ｐ３がブラック用ユニット１３Ｋの感光体ドラム１３１に到達すると、軸心回りに時計方向に回転している感光体ドラム１３１が非電荷域Ｐ３の前方の盛り上がっている部分（膨出部Ｐ４）を巻き込みながら押圧するため、これが原動力になって斜めになっている上流側電荷域Ｐ２を後方（図８の紙面の上方）に向かわせることになり、これによって転写搬送ベルト２０に静電吸着している上流側電荷域Ｐ２が、図８の（イ）に矢印xで示すように後方に向けて徐々にスライドし、正常な搬送姿勢に戻される。
【００９５】
したがって、用紙Ｐの上面には、感光体ドラム１３１の周面のトナー画像が適正に転写されることになる。
【００９６】
これに対し、図８の（ロ）に示す比較例の場合に、実施例と同様に用紙Ｐの上流側が前方に向けて傾いたときには、用紙Ｐは、その全面が転写搬送ベルト２０に静電吸着しているため、実施例のような余裕のある膨出部Ｐ４が形成されることはなく、幅の狭い突条Ｐ５が形成される。したがって、転写搬送ベルト２０の周回でこの突条Ｐ５が感光体ドラム１３１に到達すると、当該突条Ｐ５がそのまま感光体ドラム１３１の回転に巻き込まれてしまったような状態になり、用紙Ｐの上流側の斜めになった異常姿勢が矯正されることはない。したがって、この状態で用紙Ｐに感光体ドラム１３１の転写処理が施されると、用紙Ｐ上には正常な転写画像が得られず、たとえ用紙Ｐの上流側電荷域Ｐ２が斜めになっても容易に矯正されて正常な転写画像が得られる本発明の作用効果を達成することができない。
【００９７】
図９は、上記のような用紙Ｐに対する吸着バイアス付与の制御の一実施形態を示すブロック図である。画像形成装置１０の装置本体１１には、図９に示すような制御装置６０が内装されている。なお、この実施形態の画像形成装置１０においては、ブラック用ユニット１３Ｋの感光体ドラム１３１と、レジストローラ対１５４との間の距離がＡ４サイズの用紙の長手寸法と略同一であるか、若干長めに設定されている。
【００９８】
前記制御装置６０は、電圧印加判別部６１と、制御信号出力部６２と、タイマ６３とを備えている。前記電圧印加判別部６１は、画像形成装置１０が単色転写モードに設定された状態で、レジストローラ対１５４に到達した用紙のサイズに応じて当該用紙Ｐに電圧を印加するか否か（用紙Ｐに吸着バイアスを形成させるか否か）および電圧を印加すると判別した場合に用紙Ｐのどの位置に印加するかを計算するものであり、前記制御信号出力部６２は、この電圧印加判別部６１の判別結果および計算結果に基づいて電磁スイッチ５２に向けて制御信号を出力するものである。また、前記タイマ６３は、用紙Ｐの上流端がレジストローラ対１５４を通過した時点でリセットされ、この時点を時刻Ｔ０（図７の（イ））と設定してその後の時刻をカウントするものである。
【００９９】
前記電圧印加判別部６１は、まず、転写モード切換えキー１７９ｄからの操作信号に基づいて、画像形成処理が全色転写モードで行われるのか、単色転写モードで行われるのかを判別し、全色転写モードの場合には制御信号出力部６２に向って指令信号を出力しないため、電磁スイッチ５２はオフ状態が継続される。したがって、全色転写モードのときには用紙が転写搬送ベルト２０に静電吸着されることはない。
【０１００】
これに対し、画像形成装置１０が単色転写モードに設定されている場合には、電圧印加判別部６１は、タッチ入力により出力された表示パネル１７６からの用紙サイズの情報に基づいて、当該用紙ＰがＡ３サイズまたはＢ４サイズ（これらを大サイズ用紙という）であるのか否かを判別し、用紙Ｐが大サイズ用紙でないときは、制御信号出力部６２に向けて電磁スイッチ５２をオンするための指令信号を出力する。制御信号出力部６２は、この指令信号に基づいて電磁スイッチ５２へ向けて制御信号（具体的には、電磁スイッチ５２のソレノイドへ供給される駆動電流）が出力されるため、転写搬送ベルト２０へ給紙された用紙Ｐは、その全長に亘って吸着バイアスが付与された状態になる。
【０１０１】
因みに、用紙Ｐが大サイズ用紙でない場合には、当該用紙Ｐの先端（下流端）がブラック用ユニット１３Ｋの感光体ドラム１３１に到達するまでの間に用紙Ｐの上流端がレジストローラ対１５４から外れているため、感光体ドラム１３１とレジストローラ対１５４との速度差で用紙Ｐがレジストローラ対１５４から外れるときに搬送姿勢が異常になることはない。したがって、用紙Ｐの全面に吸着バイアスを形成させても不都合はない。
【０１０２】
これに対し、用紙Ｐが大サイズ用紙の場合には、電圧印加判別部６１は、その用紙Ｐのサイズ（Ｂ４サイズであるのかＡ３サイズであるのか）に応じて当該用紙Ｐに電圧を印加する時間を計算し、この計算結果に基づいて用紙Ｐの先端がレジストローラ対１５４を抜けた瞬間（図７の時刻Ｔ０）から時刻Ｔ１までの間、および時刻Ｔ２から時刻Ｔ３までの間電磁スイッチ５２をオンにするべき指令信号を制御信号出力部６２へ向けて出力するようになっている。
【０１０３】
そして、制御信号出力部６２は、この指令信号に基づいて用紙Ｐの先端がレジストローラ対１５４を抜けた時点（時刻Ｔ０）から時刻Ｔ１までの間、および時刻Ｔ２から時刻Ｔ３までの間だけ電磁スイッチ５２へ向けて制御信号を出力するため、これらの期間に対応した用紙Ｐの下流側と上流側とに吸着バイアスが付与されて下流側電荷域Ｐ１（図７の（ハ））および上流側電荷域Ｐ２が形成されるのに対し、用紙Ｐの時刻Ｔ１と時刻Ｔ２との間に対応した部分には給電バイアスが形成されないで非電荷域Ｐ３が形成されることになる。
【０１０４】
かかる制御を実行するために、本実施形態においては、レジストローラ対１５４の直下流側に当該レジストローラ対１５４を抜け出た用紙Ｐの上流端を検出するための用紙上流端センサ６４が設けられている。そして、この用紙上流端センサ６４によって用紙Ｐの上流端が検出された時点でタイマ６３がリセットされ、この時点が時刻Ｔ０と設定さる。以後は、このタイマ６３に基づきこの時刻Ｔ０を基準として時刻Ｔ１まで、および時刻Ｔ２から時刻Ｔ３までに制御信号出力部６２から電磁スイッチ５２へ向けて制御信号が出力されるのである。
【０１０５】
以下、上記のような制御装置６０による制御についてフローチャートに基づいて説明する。図１０は、制御装置６０による用紙Ｐへの電圧印加制御を示すフローチャートである。このフローチャートは、ユーザーが転写モード切換えキー１７９ｄを操作した時点からスタートしている。
【０１０６】
まず、ステップＳ１において、転写モード切換えキー１７９ｄからの操作信号に基づいて画像形成装置１０が単色転写モードに設定されているか否かが電圧印加判別部６１によって判別され、単色転写モードに設定されていると判別されたとき（ステップＳ１でＹＥＳ）は、引き続き表示パネル１７６からの入力信号に基づいて用紙ＰがＢ４サイズのものであるか否かが判別される（ステップＳ２）。
【０１０７】
そして、用紙ＰがＢ４サイズのとき（ステップＳ２でＹＥＳ）には、電圧印加判別部６１は、Ｂ４サイズの用紙Ｐを対象とした電圧印加のタイミング、すなわち、図７の（ロ）に示す時刻Ｔ０を用紙上流端センサ６４が用紙Ｐを検出した時点とした場合の時刻Ｔ１と、この時刻T１に電圧を印加しない時間ｔとを加えた時刻T２と、用紙Pの下流端が押えローラ２４に到達する時刻T３とが計算される（ステップS３）。
【０１０８】
これに対し、ステップS２で用紙PがB４サイズでないと判別されたとき（ステップS２でNO）は、用紙PがA３サイズであるか否かが判別され（ステップS４）、A３サイズのときは、A３サイズの用紙Pを対象として前記同様に時刻T１、T２およびＴ３が計算される（ステップS５）。
【０１０９】
ついで、用紙Ｐの上流端がレジストローラ対１５４を通過したか否かが用紙上流端センサ６４からの検出信号によって判別され（ステップＳ６）、通過したことが確認される（ステップＳ６でＹＥＳ）と、ステップＳ３またはステップＳ５における計算結果に基づき制御信号出力部６２から電磁スイッチ５２へ向けて制御信号が出力され、これによって転写搬送ベルト２０により搬送されつつある用紙Ｐに対し電圧印加が開始される（ステップＳ７）。
【０１１０】
ついで、用紙Ｐの下流端がレジストローラ対１５４を通過したか否かが用紙上流端センサ６４からの検出信号によって判別され（ステップＳ８）、通過したことが確認される（ステップＳ８でＹＥＳ）と、電圧印加が終了される（ステップＳ９）。そして、用紙Ｐに対する電圧印加が終了された時点で用紙Ｐは、先の時刻Ｔ０〜Ｔ１間および時刻Ｔ２〜Ｔ３間において用紙Ｐに電荷が付与されていることによって、図７の（ハ）に示すように、下流側電荷域Ｐ１、上流側電荷域Ｐ２および非電荷域Ｐ３が形成された状態になり、これによってレジストローラ対１５４から外れたときのショックで搬送姿勢がずれても、このずれは非電荷域Ｐ３の動きによって吸収され、以後の感光体ドラム１３１による転写処理が適正に行われることになる。
【０１１１】
これに対し、ステップＳ１で画像形成装置１０が全色転写モードに設定されていると判別され（ステップＳ１でＮＯ）た場合、またはステップＳ２で用紙ＰがＢ４サイズでないと判別され（ステップＳ２でＮＯ）るとともに、ステップＳ４で用紙ＰがＡ３サイズでないと判別され（ステップＳ４でＮＯ）た場合（すなわち、用紙がＡ４サイズ以下のサイズのものである場合）には、ステップＳ３およびステップＳ５〜ステップＳ９が実行されずにリターンへスキップされる。
【０１１２】
このようにされるのは、画像形成装置１０が全色転写モードに設定されているときには、用紙Ｐが全ての感光体ドラム１３１と転写搬送ベルト２０とによって挟持されているため安定しており特に用紙Ｐに電荷を付与する必要がないからであり、また、用紙ＰがＡ４さいず以下の小サイズ用紙である場合には、用紙Ｐがブラック用ユニット１３Ｋの感光体ドラム１３１とレジストローラ対１５４との双方に位置した状態になることがないため、用紙Ｐがレジストローラ対１５４から外れるときに感光体ドラム１３１とレジストローラ対１５４との速度差によるショックを受けることがなく、用紙Ｐに電荷を付与する必要がないからである。
【０１１３】
以上詳述したように、本発明の画像形成装置１０は、転写用のトナーの色が異なる複数の感光体ドラム１３１が用紙Ｐを搬送する転写搬送ベルト２０の搬送方向に沿って並設されてなり、全ての感光体ドラム１３１の周面に形成されたトナー像を、転写搬送ベルト２０の上流側に設けられたレジストローラ対１５４を介して当該転写搬送ベルト２０へ給紙された用紙Ｐに転写する全色転写モードと、最下流側のブラック用ユニット１３Ｋの感光体ドラム１３１の周面に形成されたトナー像のみを用紙Ｐに転写する単色転写モードとに切換可能に構成され、かつ、転写搬送ベルト２０を、当該転写搬送ベルト２０が全ての感光体ドラム１３１の周面に当接する全色当接位置と、当該転写搬送ベルト２０がブラック用ユニット１３Ｋの感光体ドラム１３１のみに当接する単色当接位置との間で位置変更させるベルト位置変更手段が設けられてなるようなものを前提としている。
【０１１４】
そして、本発明においては、かかる画像形成装置１０において、レジストローラ対１５４の直下流側に、転写搬送ベルト２０に用紙Ｐを静電吸着するためのの電荷を付与する電荷付与手段５０が設けられ、この電荷付与手段５０は、制御装置６０の制御によってレジストローラ対１５４から転写搬送ベルト２０へ排紙された用紙Ｐの先端側と後端側とに電荷を付与して下流側電荷域Ｐ１および上流側電荷域Ｐ２を形成させるとともに、用紙Ｐの搬送方向の略中央位置に電荷が付与されない非電荷域Ｐ３を形成させるようにしている。
【０１１５】
したがって、画像形成装置１０が単色転写モードにモード設定された状態で、レジストローラ対１５４から転写搬送ベルト２０へ排紙された用紙Ｐは、電荷付与手段５０が制御装置６０により制御されることで下流側電荷域Ｐ１、上流側電荷域Ｐ２および非電荷域Ｐ３が形成された状態になっており、特に、用紙Ｐの搬送方向の中央部に形成された非電荷域Ｐ３によって、たとえ用紙Ｐの後端がレジストローラ対１５４のニップから外れるときのショックで斜めになる等の異常姿勢になっても、当該用紙Ｐは、その非電荷域Ｐ３がブラック用ユニット１３Ｋの感光体ドラム１３１に到達することにより、当該非電荷域Ｐ３が感光体ドラム１３１と転写搬送ベルト２０とによる押圧挟持で転写搬送ベルト２０の搬送面を容易に摺動し、これによって用紙Ｐの異常姿勢を矯正することができる。
【０１１６】
因みに、この矯正に当って用紙Ｐの上流側は、転写搬送ベルト２０に静電吸着しているが、単色転写モードでは用紙Ｐが他の感光体ドラム１３１によって転写搬送ベルト２０に向けて押圧されてはいないため、非電荷域Ｐ３の摺動に追随して転写搬送ベルト２０の搬送面を容易に摺動し、これによって用紙Ｐの異常姿勢は無理なく矯正される。
【０１１７】
このように、転写搬送ベルト２０上の用紙Ｐの搬送方向の中央部に非電荷域Ｐ３を形成させることにより、レジストローラ対１５４のニップから外れた瞬間の搬送状態の不安定さに起因した用紙Ｐに対する転写不良を確実に防止することができるばかりか、用紙Ｐの非電荷域Ｐ３の形成を電荷付与手段５０の駆動制御すでソフト的に行っているため、転写不良を解消するために所定の新たな機器を付加する必要もなく、装置コストの低減化に貢献することができる。
【０１１８】
そして、電荷付与手段５０は、転写搬送ベルト２０が張設されるベルト張設ローラの最上流側のものである従動ローラ２２を備えて構成されているため、特に電荷付与手段として専用の別体を採用する必要がなくなり、その分部品点数を増やさなくてもよく、その分装置コストの低減化に寄与することができる。
【０１１９】
また、ベルト位置変更手段は、転写搬送ベルト２０をブラック用ユニット１３Ｋの感光体ドラム１３１の周面に向けて押圧する固定ローラ部材３０と、転写搬送ベルト２０を介してイエロー、マゼンタおよびシアンの各ユニット１３Ｙ，１３Ｍ，１３Ｃ，１３Ｋの感光体ドラム１３１の周面と対向する各可動ローラ部材４０とを備えて構成され、可動ローラ部材４０を、転写搬送ベルト２０を感光体ドラム１３１の周面に向けて押圧する押圧姿勢と、この押圧を解除する解除姿勢との間で姿勢変更させる姿勢変更手段が設けられている。
【０１２０】
ベルト位置変更手段をこのように構成することにより、固定ローラ部材３０は、常に転写搬送ベルト２０をブラック用ユニット１３Ｋの感光体ドラム１３１に向けて押圧しているため、転写搬送ベルト２０が全色当接位置および単色当接位置のいずれに位置設定されていても、転写搬送ベルト２０によって搬送される用紙Ｐには、ブラック用ユニット１３Ｋの感光体ドラム１３１による転写処理をが施すことができる。
【０１２１】
これに対し、可動ローラ部材４０は、転写搬送ベルト２０を介してブラック用ユニット１３Ｋの感光体ドラム１３１を除く残りの感光体ドラム１３１（すなわちイエロー、マゼンタおよびシアンの感光体ドラム１３１）の周面と対向するとともに、姿勢変更手段の動作によって転写搬送ベルト２０を感光体ドラム１３１の周面に向けて押圧する押圧姿勢と、この押圧を解除する解除姿勢との間で姿勢変更し得るようになっているため、当該可動ローラ部材４０が押圧姿勢に姿勢設定されることにより、転写搬送ベルト２０は上流側および固定ローラ部材３０の双方によって各感光体ドラム１３１に向けて押圧された状態になる。したがって、この状態で用紙Ｐが転写搬送ベルト２０によって搬送されると、当該用紙Ｐに対して全ての感光体ドラム１３１による転写処理が施され、これによって用紙Ｐにいわゆるカラー印刷が施されることになる。
【０１２２】
このように、可動ローラ部材４０の姿勢変更で画像形成装置１０を全色転写モードと単色転写モードとの間でモード変更することができるため、転写搬送ベルト２０そのものをフレームを含めて全体的に動かすことにより当該転写ベルトと感光体ドラム１３１との離接を行う従来の大掛かりなモード変更機構に比べて装置コストの低減化を図ることができる。
【０１２３】
そして、固定ローラ部材３０は、用紙Ｐ搬送方向と直交した用紙Ｐ幅方向に延びるローラ軸３２１回りに回動自在に軸支された転写ローラ３２と、この転写ローラ３２をローラ軸３２１を介して支持するローラ支持枠体３１と、このローラ支持枠体３１を転写搬送ベルト２０へ向けて押圧するコイルスプリング３３とを備えて構成され、可動ローラ部材４０は、用紙Ｐ搬送方向と直交した用紙幅方向に延びるローラ軸４２１回りに回動自在に軸支された転写ローラ４２と、この転写ローラ４２をローラ軸４２１を介して支持するＬ形ローラ支持部材４１と、このＬ形ローラ支持部材４１を転写搬送ベルト２０へ向けて押圧するコイルスプリング４３とを備えて構成され、Ｌ形ローラ支持部材４１は、用紙搬送方向と直交した用紙幅方向に延びる支持軸４５回りに回動自在に軸支され、姿勢変更手段は、Ｌ形ローラ支持部材４１が押圧姿勢と解除姿勢との間で姿勢変更するようにＬ形ローラ支持部材４１をローラ軸４２１回りに正逆回動させるソレノイド部材４４を備えて構成されている。
【０１２４】
かかる構成によれば、転写搬送ベルト２０は、その下流端側がコイルスプリング３３によりローラ支持枠体３１を介して付勢された転写ローラ３２によって常に下流側感光体ドラム１３１に当接された状態になる一方、転写搬送ベルト２０の上流側は、ソレノイド部材４４の動作によるＬ形ローラ支持部材４１の押圧姿勢と解除姿勢との間の姿勢変更によって、上流側ローラによる押圧で上流側感光体ドラム１３１に当接した全色当接位置と、上流側ローラによる押圧が解除された単色当接位置との間で位置変更するため、かかる位置変更によって画像形成装置１０を全色転写モードと単色転写モードとの間でモード変更することができる。
【０１２５】
このように、固定ローラ部材３０を転写ローラ３２、ローラ支持枠体３１およびコイルスプリング３３とを備えて構成するとともに、可動ローラ部材４０を転写ローラ４２、Ｌ形ローラ支持部材４１およびコイルスプリング４３とを備えて構成し、さらに、Ｌ形ローラ支持部材４１を押圧姿勢と解除姿勢との間で姿勢変更し得るようにローラ軸４２１回りに正逆回動させるソレノイド部材４４を姿勢変更手段として採用することにより、画像形成装置１０の全色転写モードと単色転写モードとの間のモード変更構造を簡単なものにすることができる。
【０１２６】
本発明は、上記の実施形態に限定されるものではなく、以下の内容をも包含するものである。
【０１２７】
（１）上記の実施形態においては、画像形成装置１０が全色転写モードに設定されたときには、用紙Ｐのサイズに拘らずに用紙Ｐに電圧を印加しないようになされているが、本発明は、画像形成装置１０が全色転写モードに設定された状態で用紙Ｐに電圧を印加しないことに限定されるものではなく、たとえ画像形成装置１０が全色転写モードに設定されていても、用紙Ｐに電圧を印加して電荷を付与し、これによって用紙Ｐを転写搬送ベルト２０に静電吸着させるようにしてもよい。こうすることによって、画像形成装置１０が全色転写モードに設定された状態における用紙Ｐの搬送をより安定したものにすることができる。なお、この場合には、用紙Ｐに非電荷域Ｐ３を形成させなくてもよい。
【０１２８】
（２）上記の実施形態においては、用紙Ｐが例えばＡ４サイズより小さいサイズの場合に、当該用紙Ｐに電圧を印加しないようにしているが、本発明は、用紙Ｐが小さいサイズである場合に、当該用紙Ｐに電圧を印加しないことに限定されるものではなく、電圧を印加してもよい。ただしこの場合には用紙Ｐに非電荷域Ｐ３を形成させてもよいし、特に形成させなくてもよい。
【０１２９】
（３）上記の実施形態においては、説明の便宜上、用紙Ｐに電荷域を形成させるか否かの分岐点としてＡ４サイズの用紙Ｐを上げているが、本発明は、分岐点がＡ４サイズの用紙Ｐであることに限定されるものではなく、画像形成装置１０の具体的な仕様に応じて適宜設定することができる。
【０１３０】
（４）上記の実施形態においては、固定ローラ部材３０の転写ローラ３２は、支持ロッド３４を介して上下動可能にコ字状部材３６に支持され、かつ、コイルスプリング３３によって上方へ向けて付勢されたローラ支持枠体３１に支持されているが、転写ローラ３２の支持構造は、このようなコ字状部材３６を備えた構造に限定されるものではなく、例えば装置本体１１の対向壁面にガイドレールを設け、ローラ支持枠体３１がこのガイドレールに案内されつつコイルスプリング３３によって上方へ付勢されるような構造など、各種の支持構造を採用することができる。
【０１３１】
（５）上記の実施形態においては、Ｌ形ローラ支持部材４１の姿勢を変更させる姿勢変更手段としてソレノイド部材４４が採用されているが、本発明は、姿勢変更手段がソレノイド部材４４であることに限定されるものではなく、各種の駆動モータや油圧機構、空気圧機構などの駆動源を採用してもよい。
【０１３２】
（６）上記の実施形態においては、転写搬送ベルト２０に用紙Ｐを静電吸着するためのの電荷を付与する電荷付与手段として従動ローラ２２が採用されているが、本発明は、電荷付与手段として従動ローラ２２を利用することに限定されるものではなく、転写搬送ベルト２０の近傍に専用の所定の電荷付与手段をもうけてもよい。
【図面の簡単な説明】
【０１３３】
【図１】本発明に係る画像形成装置の一実施形態を示す外観斜視図である。
【図２】図１に示す画像形成装置の内部構造の概要を説明するための正面断面視の説明図である。
【図３】転写搬送ベルトの一実施形態の詳細を説明するための正面図である。
【図４】固定ローラ部材の一実施形態を示す斜視図である。
【図５】可動ローラ部材の一実施形態を示す斜視図である。
【図６】可動ローラ部材の作用を説明するための説明図であり、（イ）は、Ｌ形ローラ支持部材が押圧姿勢に姿勢設定された状態、（ロ）は、のＬ形ローラ支持部材が解除姿勢に姿勢設定された状態をそれぞれ示している。
【図７】用紙に電荷が付与される状態を説明するための説明図であり、（イ）は、用紙に形成される電荷の状態を説明するための説明図、（ロ）は、用紙に付与される電荷量（吸着バイアス：用紙の下面側に形成された電荷の値）の経時変化を示すグラフ、（ハ）は、電荷が付与された用紙Ｐを示す平面図である。
【図８】本発明の作用（実施例）を従来技術の作用（比較例）との比較において説明するための説明図であり、転写搬送ベルト上で上流側が斜めになった用紙に対する姿勢矯正を例に挙げており、（イ）は実施例を、（ロ）は比較例をそれぞれ示している。（イ）および（ロ）の後に付された添え字の「ａ」は、平面図であることを示し、同添え字の「ｂ」は側面図であることを示している。
【図９】用紙Ｐに対する吸着バイアス付与の制御の一実施形態を示すブロック図である。
【図１０】制御装置による用紙への電圧印加制御を示すフローチャートである。
【符号の説明】
【０１３４】
１０  画像形成装置            １０１  排紙トレイ
１０２  排紙搬送路            １０３  返送搬送路
１０４  反転搬送路            １１  装置本体
１２  原稿読取部              １２１  原稿押え
１２２  コンタクトガラス      １２２ａ  載置原稿用コンタクトガラス
１２２ｂ  自動給紙用コンタクトガラス
１２３  原稿排紙トレイ        １２４  原稿送り部
１２５  光学系ユニット        １２６  原稿トレイ
１３  画像形成部              １３Ｙ  イエロー用ユニット
１３Ｍ  マゼンタ用ユニット    １３Ｃ  シアン用ユニット
１３Ｋ  ブラック用ユニット（最下流側の感光体ドラム）
１３１  感光体ドラム          １３２  現像装置
１３３  露光部                １３４  露光部
１３５  クリーニング装置      １４  定着部
１４１  ヒートローラ          １４２  加圧ローラ
１５  用紙貯留部              １５１  用紙トレイ
１５２  ピックアップローラ    １５３  給紙搬送路
１５４  レジストローラ対      １６  用紙反転部
１６１  中間トレイ            １６２  切換ガイド
１６３  反転ローラ対          １７  入力部
１７１  枠体                  １７２  前方枠
１７３  後方枠                １７４  側方枠
１７５  パネルボード          １７６  表示パネル
１７７  テンキー              １７８  スタートボタン
１７８ａ  電源スイッチ        １７９  モード切換えキー
１７９ａ  コピーキー          １７９ｂ  プリンタキー
１７９ｃ  スキャナキー        １７９ｄ  転写モード切換えキー
２０  転写搬送ベルト          ２１  駆動ローラ
２２  従動ローラ（電荷付与手段）
２３  補助ローラ              ２４  押えローラ
３０  固定ローラ部材（下流側ローラ部材）
３１  ローラ支持枠体（下流側ローラ支持枠体）
３１１  底板                  ３１２  軸受板
３２  転写ローラ（下流側ローラ本体）
３２１  ローラ軸              ３３  コイルスプリング（下流側付勢手段）
３４  支持ロッド              ３５  フレーム
３６  コ字状部材              ３６１  立設板
３６２  突設板                ３７  嵌入孔
４０  可動ローラ部材（上流側ローラ部材）
４０Ｙ  イエロー可動ローラ部材
４０Ｍ  マゼンタ可動ローラ部材
４０Ｃ  シアン可動ローラ部材  ４１  Ｌ形ローラ支持部材（上流側ローラ支持枠体）
４１１  下部杆                ４１２  上部杆
４１３  軸支部                ４２  転写ローラ（上流側ローラ本体）
４２１  ローラ軸（上流側ローラ軸）
４３  コイルスプリング（上流側付勢手段）
４４  ソレノイド部材（姿勢変更手段）
４４１  ケーシング              ４４２  鉄心ロッド
４４３  連結ロッド              ４４４  連結軸
４５  支持軸（枠体支持軸）      ４６  フレーム
４７  可動ロッド                ４８  固定ロッド
４９  架設フレーム              ５０  電荷付与手段
５１  直流電源                  ５２  電磁スイッチ
５３  可動接触子                ５４  接点
５４１  第１接点                ５４２  第２接点
６０  制御装置                  ６１  電圧印加判別部
６２  制御信号出力部            ６３  タイマ
６４  用紙上流端センサ
【図１】
2005338438.tif 000003
【図２】
2005338438.tif 000004
【図３】
2005338438.tif 000005
【図４】
2005338438.tif 000006
【図５】
2005338438.tif 000007
【図６】
2005338438.tif 000008
【図７】
2005338438.tif 000009
【図８】
2005338438.tif 000010
【図９】
2005338438.tif 000011
【図１０】
2005338438.tif 000012